(57)【要約】  【課題】多数の選択対象の中から所望の選択対象を選択する際の操作性を向上させ、従来よりスムーズに所望の選択対象を選択することができるユーザインターフェース装置を提供する。  【解決手段】ユーザからコンテンツ選択受付画面の表示指示を受け付けると、管理されているコンテンツの順位上、ｎ／８ずつ隔てた間隔に位置する８個の順位のコンテンツを選択対象として設定し、設定された各選択対象の８個の順位と８個の押下センサに対する押下を示す各キーコードとを対応付けたテーブルを作成する。作成したテーブルに基づいて、順位の選択を受け付けるためのＧＵＩ画面を表示し、順位選択を受け付けると、受け付けた順位を基準とする、当該順位のコンテンツを含む、順位が連続した所定数のコンテンツを示す選択肢群を一覧表示する。ユーザが操作部材３１を操作して、一覧の中から所望の選択肢を選択すると、選択受付処理を終了する。また、ユーザは操作部材３１を操作して、選択肢群をスクロール表示させることができる。【選択図】図６
2007536604.tif 000002
【特許請求の範囲】
【請求項１】
少なくとも３つの操作が可能な操作部材と、
ｎ個の選択対象を順位付けて管理する管理手段と、
ｎ個の選択対象の中からｍ（ｎ＞ｍ＞１：ｎ、ｍは整数）個の選択対象を設定する設定手段と、
前記操作部材に対する第１の操作に基づいて、前記設定手段により設定されたｍ個の選択対象のうちいずれか１つの選択を受け付ける第１受付手段と、
前記第１受付手段により受け付けられた選択対象を含み、当該選択対象の順位と連続している順位の所定数の選択対象を示す選択肢群を表示装置に表示させる第１表示制御手段と、
前記操作部材に対する第２の操作に基づいて、他の選択肢群を前記表示装置に表示させる第２表示制御手段と、
前記操作部材に対する第３の操作に基づいて、前記表示装置に表示された選択肢群の中から所望の選択対象の選択を受け付ける第２受付手段とを備える
ことを特徴とするユーザインターフェース装置。
【請求項２】
前記操作部材は、押下及び回動自在な操作部材であって、
前記ユーザインターフェース装置は、
前記操作部材に対する押下操作を検知する第１検知手段と、
前記操作部材に対する回動操作を検知する第２検知手段とを備え、
前記第１受付手段は、前記第１検知手段により検知された１回の押下操作に基づいて、前記設定手段により設定されたｍ個の選択対象のうちいずれか１つの選択を受け付け、
前記第２表示制御手段は、前記第２検知手段により検知された回動操作に基づいて、他の選択肢群を前記表示装置に表示させる
ことを特徴とする請求項１記載のユーザインターフェース装置。
【請求項３】
前記操作部材は、少なくともｍ個の押下操作部材を含み、
前記ユーザインターフェース装置は、
前記設定手段により設定されたｍ個の選択対象の順位と前記各押下操作部材に対する押下操作を示すｍ個の操作情報とを一対一で対応付けたテーブルを作成する手段を備え、
前記第１検知手段は、前記押下操作部材のうちいずれか１つに対する押下操作を検知し、
前記第１受付手段は、生成された前記テーブルにおいて、前記第１検知手段により検知された押下操作を示す操作情報と対応付けられている順位の選択対象が選択されたものとして受け付ける
ことを特徴とする請求項２記載のユーザインターフェース装置。
【請求項４】
前記押下操作部材は、所定形状に配置されており、
前記ユーザインターフェース装置は、更に、
ｍ個の選択対象の順位を前記所定形状に配置したユーザインターフェース画面を、前記表示装置に表示させる第３表示制御手段を備える
ことを特徴とする請求項１記載のユーザインターフェース装置。
【請求項５】
前記押下操作部材は、所定形状に配置されており、
前記選択対象は、記憶手段に記録されているコンテンツであり、
前記管理手段は、ｎ個の前記コンテンツを前記記憶手段に記録された日時順に管理し、
前記ユーザインターフェース装置は、更に、
前記テーブルにおいてｍ個の前記操作情報と対応付けられている各順位のコンテンツの記録日時を前記所定形状に配置したユーザインターフェース画面を、前記表示装置に表示させる第３表示制御手段を備える
ことを特徴とする請求項３記載のユーザインターフェース装置。
【請求項６】
前記押下操作部材は、所定形状に配置されており、
前記選択対象は、記憶手段に記録されているコンテンツであり、
前記管理手段は、ｎ個の前記コンテンツを視聴回数の多いもの順に管理し、
前記ユーザインターフェース装置は、更に、
前記テーブルにおいてｍ個の前記操作情報と対応付けられている各順位のコンテンツの視聴回数を前記所定形状に配置したユーザインターフェース画面を、前記表示装置に表示させる第３表示制御手段を備える
ことを特徴とする請求項３記載のユーザインターフェース装置。
【請求項７】
前記押下操作部材は、所定形状に配置されており、
前記選択対象は、記憶手段に記録されているコンテンツであり、
前記管理手段は、ｎ個の前記コンテンツをあいうえお順又はアルファベット順に管理し、
前記ユーザインターフェース装置は、更に、
前記テーブルにおいてｍ個の前記操作情報と対応付けられている各順位のコンテンツの頭文字を前記所定形状に配置したユーザインターフェース画面を、前記表示装置に表示させる第３表示制御手段を備える
ことを特徴とする請求項３記載のユーザインターフェース装置。
【請求項８】
前記押下操作部材は、所定形状に配置されており、
前記ユーザインターフェース装置は、更に、
ｍ個の選択対象を前記所定形状に配置したユーザインターフェース画面を、前記表示装置に表示させる第３表示制御手段を備える
ことを特徴とする請求項１記載のユーザインターフェース装置。
【請求項９】
前記押下操作部材は、所定形状に配置されており、
前記選択対象は、録画予約対象の定時番組であり、
前記管理手段は、ｎ個の定時番組を放送時間順に管理し、
前記ユーザインターフェース装置は、更に、
前記テーブルにおいてｍ個の前記操作情報と対応付けられている各順位の定時番組の放送開始時刻を前記所定形状に配置したユーザインターフェース画面を、前記表示装置に表示させる第３表示制御手段を備える
ことを特徴とする請求項３記載のユーザインターフェース装置。
【請求項１０】
前記押下操作部材は、所定形状に配置されており、
前記選択対象は、番組チャンネルであり、
前記管理手段は、ｎ個の番組チャンネルをチャンネル順に管理し、
前記ユーザインターフェース装置は、更に、
前記テーブルにおいてｍ個の前記操作情報と対応付けられている各順位の番組チャンネルを前記所定形状に配置したユーザインターフェース画面を、前記表示装置に表示させる第３表示制御手段を備える
ことを特徴とする請求項３記載のユーザインターフェース装置。
【請求項１１】
前記操作部材は、円盤状又は楕円盤状であって、盤の中心を軸として回動自在であり、盤の主表面上の中心に決定ボタン、当該決定ボタンから放射状にｍ個の方向指示ボタンが設けられて成る  
ことを特徴とする請求項４〜１０のうちいずれか１項に記載のユーザインターフェース装置。
【請求項１２】
前記操作部材は、押下及び回動自在な操作部材であって、
前記ユーザインターフェース装置は、
前記操作部材に対する回動操作を検知する第１検知手段と、
前記操作部材に対する押下操作を検知する第２検知手段とを備え、
前記第１受付手段は、前記第１検知手段により検知された１回の回動操作に基づいて、前記設定手段により設定されたｍ個の選択対象のうちいずれか１つの選択を受け付け、
前記第２表示制御手段は、前記操作部材に対する押下操作に基づいて、他の選択肢群を前記表示装置に表示させる
ことを特徴とする請求項１記載のユーザインターフェース装置。
【請求項１３】
前記ユーザインターフェース装置は、
前記操作部材に対する接触位置を検知する第１検知手段と、
前記操作部材に対するなぞり操作を検知する第２検知手段とを備え、
前記第１受付手段は、前記第１検知手段により検知された１回の接触操作に基づいて、前記設定手段により設定されたｍ個の選択対象のうちいずれか１つの選択を受け付け、
前記第２表示制御手段は、前記操作部材に対するなぞり操作に基づいて、他の選択肢群を前記表示装置に表示させる
ことを特徴とする請求項１記載のユーザインターフェース装置。
【請求項１４】
前記ユーザインターフェース装置は、
前記操作部材に対するなぞり操作を検知する第１検知手段と、
前記操作部材に対する接触位置を検知する第２検知手段とを備え、
前記第１受付手段は、前記第１検知手段により検知された１回のなぞり操作に基づいて、前記設定手段により設定されたｍ個の選択対象のうちいずれか１つの選択を受け付け、
前記第２表示制御手段は、前記操作部材に対する接触操作に基づいて、他の選択肢群を前記表示装置に表示させる
ことを特徴とする請求項１記載のユーザインターフェース装置。
【請求項１５】
前記設定手段は、順位付けられたｎ個の中から等間隔になるように順番にｍ個の選択対象を選択対象として設定する
ことを特徴とする請求項１記載のユーザインターフェース装置。
【請求項１６】
前記設定手段は、前記管理手段により順位付けて管理されている選択対象の数の増減及び順位変更が生じたときに、新たにｍ個の各順位の選択対象を選択対象として設定し直す
ことを特徴とする請求項１記載のユーザインターフェース装置。
【請求項１７】
前記ユーザインターフェース装置は、更に、
ｎ個の選択対象からｍ個の選択対象を選出するための規則の設定をユーザから受け付ける第３受付手段を備え、
前記設定手段は、ユーザから設定された前記規則に基づいて、ｎ個の選択対象からｍ個の選択対象を設定する
ことを特徴とする請求項１記載のユーザインターフェース装置。
【請求項１８】
少なくとも３つの操作が可能な操作部材を備え、ｎ個（ｎ＞ｍ＞１：ｎ、ｍは整数）の選択対象を順位付けて管理しているコンピュータに選択受付処理を行わせるプログラムであって、
前記選択受付処理は、
ｎ個の選択対象の中からｍ個の選択対象を設定する設定ステップと、
前記操作部材に対する第１の操作に基づいて、前記設定ステップにおいて設定されたｍ個の選択対象のうちいずれか１つの選択を受け付ける第１受付ステップと、
前記第１受付ステップにおいて受け付けられた選択対象を含み、当該選択対象の順位と連続している順位の所定数の選択対象を示す選択肢群を表示装置に表示させる第１表示制御ステップと、
前記操作部材に対する第２の操作に基づいて、他の選択肢群を前記表示装置に表示させる第２表示制御ステップと、
前記操作部材に対する第３の操作に基づいて、前記表示装置に表示された選択肢群の中から所望の選択対象の選択を受け付ける第２受付ステップとを含む
ことを特徴とするプログラム。
【請求項１９】
少なくとも３つの操作が可能な操作部材を備え、ｎ個（ｎ＞ｍ＞１：ｎ、ｍは整数）の選択対象を順位付けて管理しているコンピュータに選択受付処理を行わせるプログラムを記録した記録媒体であって、
前記選択受付処理は、
ｎ個の選択対象の中からｍ個の選択対象を設定する設定ステップと、
前記操作部材に対する第１の操作に基づいて、前記設定ステップにおいて設定されたｍ個の選択対象のうちいずれか１つの選択を受け付ける第１受付ステップと、
前記第１受付ステップにおいて受け付けられた選択対象を含み、当該選択対象の順位と連続している順位の所定数の選択対象を示す選択肢群を表示装置に表示させる第１表示制御ステップと、
前記操作部材に対する第２の操作に基づいて、他の選択肢群を前記表示装置に表示させる第２表示制御ステップと、
前記操作部材に対する第３の操作に基づいて、前記表示装置に表示された選択肢群の中から所望の選択対象の選択を受け付ける第２受付ステップとを含む
ことを特徴とする記録媒体。
【請求項２０】
少なくとも３つの操作が可能な操作部材を備え、ｎ個（ｎ＞ｍ＞１：ｎ、ｍは整数）の選択対象を順位付けて管理しているコンピュータに用いられる、選択受付方法であって、
ｎ個の選択対象の中からｍ個の選択対象を設定する設定ステップと、
前記操作部材に対する第１の操作に基づいて、前記設定ステップにおいて設定されたｍ個の選択対象のうちいずれか１つの選択を受け付ける第１受付ステップと、
前記第１受付ステップにおいて受け付けられた選択対象を含み、当該選択対象の順位と連続している順位の所定数の選択対象を示す選択肢群を表示装置に表示させる第１表示制御ステップと、
前記操作部材に対する第２の操作に基づいて、他の選択肢群を前記表示装置に表示させる第２表示制御ステップと、
前記操作部材に対する第３の操作に基づいて、前記表示装置に表示された選択肢群の中から所望の選択対象の選択を受け付ける第２受付ステップとを含む
ことを特徴とする選択受付方法。
【発明の詳細な説明】
【技術分野】
【０００１】
本発明は、操作部材に対するユーザの操作に基づいて、画面に表示された各選択対象を示す選択肢群の中から選択を受け付けるユーザインターフェース技術に関し、特にその操作性の向上に関する。
【背景技術】
【０００２】
現在、様々なメディアを介して様々なコンテンツ（映像（静止画、動画）、音楽、ＷＥＢページ、アプリケーションプログラム等）を取得し、これらのコンテンツを記録、再生又は実行することのできるＡＶ（Ａｕｄｉｏ  Ｖｉｓｕａｌ）機器が開発されている。例えば、ＨＤＤ（Ｈａｒｄ  Ｄｉｓｋ  Ｄｒｉｖｅ）内蔵ＤＶＤ（Ｄｉｇｉｔａｌ  Ｖｅｒｓａｔｉｌｅ  Ｄｉｓｋ）レコーダ等が挙げられる。
【０００３】
係るＡＶ機器では、ＨＤD、ＤＶＤ等の記録メディアに記録されたコンテンツ、或いは放送コンテンツの中から再生、実行又は記録するコンテンツをユーザに選択させるために、各コンテンツを示す選択肢群を画面に一覧表示し、その一覧の中から選択を受け付けるメニュー対話型のＧＵＩ（Ｇｒａｐｈｉｃａｌ  Ｕｓｅｒ  Ｉｎｔｅｒｆａｃｅ）を用いているのが一般的である。
【０００４】
例えば、下記の非特許文献１に開示されているＨＤＤ内蔵ＤＶＤレコーダは、ユーザからコンテンツ選択画面の表示指示を受け付けると、ＨＤＤ又はＤＶＤに記録されている各コンテンツのコンテンツ名及びサムネイル等を選択肢として、所定の順番（例えば、コンテンツが蓄積された日時が新しい順、チャンネル順等）で所定数配列した一覧を１ページとして、ページ単位で表示する。
【０００５】
また、ＧＵＩの操作部材として、マウス、十字キー、ジョグダイヤルキー等が従来用いられているが、下記の特許文献１に開示されている情報入力装置を用いることも考えられる。
【非特許文献１】［平成１６年３月１４日検索］、インターネット＜ＵＲＬ：ｈｔｔｐ：／／ｐａｎａｓｏｎｉｃ．ｊｐ／ｄｖｄ／ｒｅｃｏｒｄｅｒ／ｅ２００ｈ／ｓｐｅｃ／０１．ｈｔｍｌ＞
【特許文献１】特開２００１−１８４１５８号公報
【発明の開示】
【発明が解決しようとする課題】
【０００６】
ところで、上述のＡＶ機器では、ＨＤD、ＤＶＤ等の記録メディアに記録した膨大な数のコンテンツの中から所望のコンテンツを選び出して随時再生又は実行することができるが、その所望のコンテンツを選び出すために行うＧＵＩ操作が煩雑なものになることが考えられる。
【０００７】
例えば、コンテンツ選択画面として、選択肢８個を１ページ分として一覧表示する従来のＡＶ機器において、所望のコンテンツを示す選択肢が５０ページ目にある場合、５０ページに辿り着くためにユーザは、操作部材を頻繁に操作してページを繰る指示を行わなければならない。
【０００８】
また、選択対象コンテンツをサムネイルで一覧表示するものであれば、一覧を表示する処理に時間がかかるので、ユーザのページを繰る指示操作と、一覧の表示切替にタイムラグが生じる。そのため、スムーズに選択肢一覧の表示切替を行って所望のコンテンツを選択したいというユーザの気持ちが満たされず、ユーザにストレスを与えることが考えられる。
【０００９】
仮に、全選択肢を一度に一覧表示するようにしたとしても、選択対象コンテンツが数千個もあるような場合であれば、ページを繰る必要がなくなる代わりにその一覧を生成するのに時間を要し、またその選択肢一覧の中から所望の選択肢を選択するために、ユーザは操作部材を頻繁に操作することになるので、かえって操作性は悪くなることが考えられる。
【００１０】
そこで、本発明は、多数の選択対象の中から所望の選択対象を選択する際の操作性を向上させ、従来よりスムーズに所望の選択対象を選択することができるユーザインターフェース装置、当該装置に関する諸技術を提供することを目的とする。
【課題を解決するための手段】
【００１１】
上記目的を達成するために、本発明に係るユーザインターフェース装置は、少なくとも３つの操作が可能な操作部材と、ｎ個（ｎ＞ｍ＞１：ｎ、ｍは整数）の選択対象を順位付けて管理する管理手段と、ｎ個の選択対象の中からｍ個の選択対象を設定する設定手段と、前記操作部材に対する第１の操作に基づいて、前記設定手段により設定されたｍ個の選択対象のうちいずれか１つの選択を受け付ける第１受付手段と、前記第１受付手段により受け付けられた選択対象を含み、当該選択対象の順位と連続している順位の所定数の選択対象を示す選択肢群を表示装置に表示させる第１表示制御手段と、前記操作部材に対する第２の操作に基づいて、他の選択肢群を前記表示装置に表示させる第２表示制御手段と、前記操作部材に対する第３の操作に基づいて、前記表示装置に表示された選択肢群の中から所望の選択対象の選択を受け付ける第２受付手段とを備えることを特徴としている。
【００１２】
＜作用＞
ユーザが操作部材に対して第１の操作を行って、前記設定手段により設定された選択対象の中から所望の選択対象の順位に近い順位の選択対象を選択することにより、ユーザインターフェース装置は、その選択された選択対象を含み、その順位が連続した所定数の選択対象を示す選択肢群を表示装置に表示させる。また、表示装置に所望の選択肢が表示されていなくても、第２の操作に基づいて他の選択肢群を表示装置に表示させることができる。
【００１３】
なお、ここでいう他の選択肢群とは、先に表示させた選択肢群の一部を含むもの、又は先に表示させた選択肢群のいずれの選択肢も含まないものをいう。
【００１４】
また、前記操作部材は、円盤状又は楕円盤状であって、盤の中心を軸として回動自在であり、盤の主表面上の中心に決定ボタン、当該決定ボタンから放射状にｍ個の方向指示ボタンが設けられて成るとしてもよい。
【００１５】
また、本発明に係るプログラムは、少なくとも３つの操作が可能な操作部材を備え、ｎ個（ｎ＞ｍ＞１：ｎ、ｍは整数）の選択対象を順位付けて管理しているコンピュータに選択受付処理を行わせるプログラムであって、前記選択受付処理は、ｎ個の選択対象の中からｍ個の選択対象を設定する設定ステップと、前記操作部材に対する第１の操作に基づいて、前記設定ステップにおいて設定されたｍ個の選択対象のうちいずれか１つの選択を受け付ける第１受付ステップと、前記第１受付ステップにおいて受け付けられた選択対象を含み、当該選択対象の順位と連続している順位の所定数の選択対象を示す選択肢群を表示装置に表示させる第１表示制御ステップと、前記操作部材に対する第２の操作に基づいて、他の選択肢群を前記表示装置に表示させる第２表示制御ステップと、前記操作部材に対する第３の操作に基づいて、前記表示装置に表示された選択肢群の中から所望の選択対象の選択を受け付ける第２受付ステップとを含むことを特徴としている。
【００１６】
また、本発明に係る記録媒体は、前記プログラムを記録した記録媒体である。
【００１７】
また、本発明に係る選択受付方法は、少なくとも３つの操作が可能な操作部材を備え、ｎ個（ｎ＞ｍ＞１：ｎ、ｍは整数）の選択対象を順位付けて管理しているコンピュータに用いられる、選択受付方法であって、ｎ個の選択対象の中からｍ個の選択対象を設定する設定ステップと、前記操作部材に対する第１の操作に基づいて、前記設定ステップにおいて設定されたｍ個の選択対象のうちいずれか１つの選択を受け付ける第１受付ステップと、前記第１受付ステップにおいて受け付けられた選択対象を含み、当該選択対象の順位と連続している順位の所定数の選択対象を示す選択肢群を表示装置に表示させる第１表示制御ステップと、前記操作部材に対する第２の操作に基づいて、他の選択肢群を前記表示装置に表示させる第２表示制御ステップと、前記操作部材に対する第３の操作に基づいて、前記表示装置に表示された選択肢群の中から所望の選択対象の選択を受け付ける第２受付ステップとを含むことを特徴とする。
【発明の効果】
【００１８】
上記構成のユーザインターフェース装置を用いた場合、ユーザは操作部材に対する第１の操作及び第２の操作を行うことで、所望の選択対象を示す選択肢を表示装置に表示させることができるので、従来の選択受付を行うためのＧＵＩに比べて、所望の選択対象を選択するまでに行われる操作数を格段に減らすことができる。
【００１９】
また、前記操作部材は、押下及び回動自在な操作部材であって、前記ユーザインターフェース装置は、前記操作部材に対する押下操作を検知する第１検知手段と、前記操作部材に対する回動操作を検知する第２検知手段とを備え、前記第１受付手段は、前記第１検知手段により検知された１回の押下操作に基づいて、前記設定手段により設定されたｍ個の選択対象のうちいずれか１つの選択を受け付け、前記第２表示制御手段は、前記第２検知手段により検知された回動操作に基づいて、他の選択肢群を前記表示装置に表示させることとしてもよい。
【００２０】
かかる構成のユーザインターフェース装置を用いた場合、ユーザは前記操作部材に対して１回の押下操作を行うことで、設定された選択対象の中から所望の選択対象の順位に近い順位の選択対象を選択することができ、また、表示する選択肢群を回動操作で微調整することができる。
【００２１】
また、前記操作部材は、押下及び回動自在な操作部材であって、前記ユーザインターフェース装置は、前記操作部材に対する回動操作を検知する第１検知手段と、前記操作部材に対する押下操作を検知する第２検知手段とを備え、前記第１受付手段は、前記第１検知手段により検知された１回の回動操作に基づいて、前記設定手段により設定されたｍ個の選択対象のうちいずれか１つの選択を受け付け、前記第２表示制御手段は、前記操作部材に対する押下操作に基づいて、他の選択肢群を前記表示装置に表示させることとしてもよい。
【００２２】
かかる構成のユーザインターフェース装置を用いた場合、ユーザは前記操作部材に対して１回の回動操作を行うことで、設定された選択対象の中から所望の選択対象の順位に近い順位の選択対象を選択することができ、また、表示する選択肢群を押下操作で微調整することができる。
【００２３】
また、前記操作部材は、少なくともｍ個の押下操作部材を含み、前記ユーザインターフェース装置は、前記設定手段により設定されたｍ個の選択対象の順位と前記各押下操作部材に対する押下操作を示すｍ個の操作情報とを一対一で対応付けたテーブルを作成する手段を備え、前記第１検知手段は、前記押下操作部材のうちいずれか１つに対する押下操作を検知し、前記第１受付手段は、生成された前記テーブルにおいて、前記第１検知手段により検知された押下操作を示す操作情報と対応付けられている順位の選択対象が選択されたものとして受け付けるとしてもよい。
【００２４】
かかる構成のユーザインターフェース装置は、設定された選択対象の順位と押下操作部材とを一対一で対応付けたテーブルを作成するので、ユーザは、ｍ個の押下操作部材のうちいずれか１つを押下することで、容易に所望の選択対象の順位に近い順位の選択対象を選択することができる。
【００２５】
また、前記押下操作部材は、所定形状に配置されており、前記ユーザインターフェース装置は、更に、ｍ個の選択対象の順位を前記所定形状に配置したユーザインターフェース画面を、前記表示装置に表示させる第３表示制御手段を備えるとしてもよい。
【００２６】
かかる構成のユーザインターフェース装置を用いることにより、ユーザは画面に表示されたｍ個の順位を視認して、所望の選択対象の順位に近い順位の選択対象を選択することができる。
【００２７】
また、前記押下操作部材は、所定形状に配置されており、前記選択対象は、記憶手段に記録されているコンテンツであり、前記管理手段は、ｎ個の前記コンテンツを前記記憶手段に記録された日時順に管理し、前記ユーザインターフェース装置は、更に、前記テーブルにおいてｍ個の前記操作情報と対応付けられている各順位のコンテンツの記録日時を前記所定形状に配置したユーザインターフェース画面を、前記表示装置に表示させる第３表示制御手段を備えるとしてもよい。
【００２８】
かかる構成のユーザインターフェース装置を用いることにより、ユーザは画面に表示されたｍ個の記録日時を視認して、所望のコンテンツの記録日時に近い日時に記録されたコンテンツを選択することができる。
【００２９】
また、前記押下操作部材は、所定形状に配置されており、前記選択対象は、記憶手段に記録されているコンテンツであり、前記管理手段は、ｎ個の前記コンテンツを視聴回数の多いもの順に管理し、前記ユーザインターフェース装置は、更に、前記テーブルにおいてｍ個の前記操作情報と対応付けられている各順位のコンテンツの視聴回数を前記所定形状に配置したユーザインターフェース画面を、前記表示装置に表示させる第３表示制御手段を備えるとしてもよい。
【００３０】
かかる構成のユーザインターフェース装置を用いることにより、ユーザは画面に表示されたｍ個の視聴回数を視認して、所望のコンテンツの視聴回数に近い回数視聴されたコンテンツを選択することができる。
【００３１】
また、前記押下操作部材は、所定形状に配置されており、前記選択対象は、記憶手段に記録されているコンテンツであり、前記管理手段は、ｎ個の前記コンテンツをあいうえお順又はアルファベット順に管理し、前記ユーザインターフェース装置は、更に、前記テーブルにおいてｍ個の前記操作情報と対応付けられている各順位のコンテンツの頭文字を前記所定形状に配置したユーザインターフェース画面を、前記表示装置に表示させる第３表示制御手段を備えるとしてもよい。
【００３２】
かかる構成のユーザインターフェース装置を用いることにより、ユーザは画面に表示されたｍ個の選択対象の頭文字を視認して、所望の選択対象の頭文字の位置に近い頭文字の選択対象を選択することができる。
【００３３】
また、前記押下操作部材は、所定形状に配置されており、前記ユーザインターフェース装置は、更に、ｍ個の前記操作情報と対応付けられている各順位の選択対象を前記所定形状に配置したユーザインターフェース画面を、前記表示装置に表示させる第３表示制御手段を備えるとしてもよい。
【００３４】
かかる構成のユーザインターフェース装置を用いることにより、ユーザは画面に表示されたｍ個の選択対象を視認して、所望の選択対象の順位に近いと予想される選択対象を選択することができる。
【００３５】
また、前記押下操作部材は、所定形状に配置されており、前記選択対象は、録画予約対象の定時番組であり、前記管理手段は、ｎ個の定時番組を放送時間順に管理し、前記ユーザインターフェース装置は、更に、前記テーブルにおいてｍ個の前記操作情報と対応付けられている各順位の定時番組の放送開始時刻を前記所定形状に配置したユーザインターフェース画面を、前記表示装置に表示させる第３表示制御手段を備えるとしてもよい。
【００３６】
かかる構成のユーザインターフェース装置を用いることにより、ユーザは画面に表示されたｍ個の放送開始時刻を視認して、所望の定時番組の放送開始時刻に近い選択対象を選択することができる。
【００３７】
また、前記押下操作部材は、所定形状に配置されており、前記選択対象は、番組チャンネルであり、前記管理手段は、ｎ個の番組チャンネルをチャンネル順に管理し、前記ユーザインターフェース装置は、更に、前記テーブルにおいてｍ個の前記操作情報と対応付けられている各順位の番組チャンネルを前記所定形状に配置したユーザインターフェース画面を、前記表示装置に表示させる第３表示制御手段を備えるとしてもよい。
【００３８】
かかる構成のユーザインターフェース装置を用いることにより、ユーザは画面に表示されたｍ個の番組チャンネルを視認して、所望の番組チャンネルの順位に近い選択対象を選択することができる。
【００３９】
また、前記ユーザインターフェース装置は、前記操作部材に対する接触位置を検知する第１検知手段と、前記操作部材に対するなぞり操作を検知する第２検知手段とを備え、前記第１受付手段は、前記第１検知手段により検知された１回の接触操作に基づいて、前記設定手段により設定されたｍ個の選択対象のうちいずれか１つの選択を受け付け、前記第２表示制御手段は、前記操作部材に対するなぞり操作に基づいて、他の選択肢群を前記表示装置に表示させることを特徴としてもよい。
【００４０】
かかる構成のユーザインターフェース装置を用いた場合、ユーザは前記操作部材に対して１回の接触操作を行うことで、設定された選択対象の中から所望の選択対象の順位に近い順位の選択対象を選択することができ、また、表示する選択肢群をなぞり操作で微調整することができる。
【００４１】
また、前記ユーザインターフェース装置は、前記操作部材に対するなぞり操作を検知する第１検知手段と、前記操作部材に対する接触位置を検知する第２検知手段とを備え、前記第１受付手段は、前記第１検知手段により検知された１回のなぞり操作に基づいて、前記設定手段により設定されたｍ個の選択対象のうちいずれか１つの選択を受け付け、前記第２表示制御手段は、前記操作部材に対する接触操作に基づいて、他の選択肢群を前記表示装置に表示させることを特徴としてもよい。
【００４２】
かかる構成のユーザインターフェース装置を用いた場合、ユーザは前記操作部材に対して１回のなぞり操作を行うことで、設定された選択対象の中から所望の選択対象の順位に近い順位の選択対象を選択することができ、また、表示する選択肢群を接触操作で微調整することができる。
【００４３】
また、前記設定手段は、順位付けられたｎ個の中から等間隔になるように順番にｍ個の選択対象を選択対象として設定するとしてもよい。
【００４４】
この構成により、等間隔にｍ個の順位を特定することができる。
【００４５】
また、前記設定手段は、前記管理手段により順位付けて管理されている選択対象の数の増減及び順位変更が生じたときに、新たにｍ個の各順位の選択対象を選択対象として設定し直すとしてもよい。
【００４６】
この構成により、選択対象の増減及び順位変更が生じたときにｍ個の各順位の選択対象を選択対象として設定し直すので、ユーザから選択受付画面の表示指示を受け付けたときに選択対象を設定する場合に比べると、選択受付処理をスムーズに行うことができる。
また、前記ユーザインターフェース装置は、更に、ｎ個の選択対象からｍ個の選択対象を選出するための規則の設定をユーザから受け付ける第３受付手段を備え、  前記設定手段は、前記規則に基づいて、ｎ個の選択対象からｍ個の選択対象を設定するとしてもよい。
【００４７】
この構成により、選択対象を選出するための規則の設定をユーザが行うことで、そのユーザにとって選択しやすい選択対象を選択対象として設定することできるので、よりスムーズな操作性を実現することが可能となる。
【発明を実施するための最良の形態】
【００４８】
以下、本発明の一実施形態であるＳＴＢ（Ｓｅｔ  Ｔｏｐ  Ｂｏｘ）について、図面を用いて説明する。  
【００４９】
＜１  ＳＴＢの構成＞
図１は、ＳＴＢ１の構成を示す図である。
【００５０】
ＳＴＢ１は、アンテナ４、ネットワーク５、表示装置２と接続されており、チューナ１１、ＴＳデコーダ１２、ＡＶデコーダ１３、合成処理部１４、ＯＳＤコントローラ１５、ＣＰＵ１６、ＲＡＭ１７、モデム１８、リモコンＩ／Ｆ１９、ＲＯＭ２０、リーダライター２１、ＤＶＤドライブ２２及びＨＤＤ２３等のハードウェアを備える。
【００５１】
ＣＰＵ１６が、ＲＯＭ２０又はＨＤＤ２３に記憶されている制御プログラムを実行し、各種ハードウェアを制御することにより、ＳＴＢ１は、ＧＵＩ機能、デジタル放送受信機能、インターネット通信機能、メモリカード読み出し書き込み機能、ＤＶＤ読み出し書き込み機能、コンテンツ再生実行機能及びコンテンツ記録機能を実現している。なお、ここでいうコンテンツとは、映像（静止画、動画）、音楽、ＷＥＢページ、アプリケーションプログラム等である。
【００５２】
また、ＳＴＢ１にはリモコン３が付属されており、ユーザがリモコン３に備わる操作部材を操作することで、ＳＴＢ１はユーザから各種指示を受け付ける。
【００５３】
例えば、コンテンツ選択受付画面の表示指示を示すリモコンコードがリモコン３から送信されると、これを受け付けたＳＴＢ１は、選択対象のコンテンツを示す選択肢群の一覧を表示装置２に表示させ、操作部材に対するユーザの操作に基づいてその一覧の中から選択を受け付ける処理（以下、「選択受付処理」という。）を行う。係る選択受付処理は、制御プログラムに含まれる処理の一つである。
【００５４】
チューナ１１は、アンテナ４が受信した放送波のデジタル復調、誤り訂正を行い、その結果得られたトランスポートストリーム（Ｔｒａｎｓｐｏｒｔ  Ｓｔｒｅａｍ：以下、「ＴＳ」という。）をＴＳデコーダ１２に出力する。
【００５５】
ＴＳデコーダ１２は、ＴＳデコーダから入力されたＴＳを構成するＴＳパケットの暗号解読、選別を行い、パケッタイズドエレメンタリストリーム（Ｐａｃｋｅｔｉｚｅｄ  Ｅｌｅｍｅｎｔａｒｙ  Ｓｔｒｅａｍ：以下、「ＰＥＳ」という。）又はセクションを取り出して、ＡＶデコーダ１３、ＲＡＭ１７に出力する。
【００５６】
ＡＶデコーダ１３は、ＭＰＥＧ（Ｍｏｖｉｎｇ  Ｐｉｃｔｕｒｅ  Ｅｘｐｅｒｔｓ  Ｇｒｏｕｐ）規格の符号化方式により圧縮された映像、音声等のコンテンツのデータを伸張する処理、映像と音声の出力同期処理及びＤ／Ａ変換処理といった一連のコンテンツ再生処理を行い、得られた信号を合成処理部１４に出力する。
【００５７】
ＯＳＤコントローラ１５は、ＧＵＩ画面等のグラフィックを生成する機能を有し、例えば、コンテンツ選択受付画面を生成する。生成されたグラフィック信号は、合成処理部１４に出力される。
【００５８】
合成処理部１４は、ＡＶデコーダ１３から出力された映像信号とＯＳＤコントローラ１５から出力されたグラフィック信号を合成し、表示装置２に出力する。
【００５９】
モデム１８は、ネットワーク５に接続された他の機器と通信するための装置であり、例えば、ネットワーク５に接続されているコンテンツサーバからコンテンツを取得することができる。取得されたコンテンツは、ＨＤＤ２３に蓄積したり、或いはＲＡＭ１７をバッファとして用いて、ＡＶデコーダ１３によって逐次再生処理することができる。
【００６０】
リモコンＩ／Ｆ１９は、ＳＴＢ１に付属されているリモコン３から赤外線無線通信方式により送信されるリモコンコードを受信するインターフェースである。
【００６１】
リーダライター２１は、差し込まれたメモリカード６からコンテンツを読み出し、メモリカード６にコンテンツを書き込むことができる装置である。
【００６２】
ＤＶＤドライブ２２は、セットされたＤＶＤ７からコンテンツを読み出し、ＤＶＤ７がＤＶＤ−Ｒ、ＤＶＤ−ＲＷ、ＤＶＤ−ＲＡＭ等、書き込み可能なものであれば、コンテンツを書き込むことができる装置である。
【００６３】
ＨＤＤ２３は、ＴＳデコーダから出力されたＰＥＳ又はセクションで構成されるコンテンツ、モデム１８がコンテンツサーバから取得したコンテンツ、リーダライター２１から読み出されたコンテンツ、ＤＶＤドライブ２２から読み出されたコンテンツをハードディスクに書き込んだり、読み出したりすることができる装置である。
【００６４】
ＳＴＢ１は、再生、実行又は記録可能なコンテンツを順位付けて管理している。例えば、ＨＤＤ２３に記録されているコンテンツであれば、記録した日時が新しいもの順に管理している。また、放送コンテンツの場合、ＳＴＢ１は、セクションデータとして放送局から送られてくるＥＰＧ（Ｅｌｅｃｔｒｏｎｉｃ  Ｐｒｏｇｒａｍ  Ｇｕｉｄｅ）を受信し、ＥＰＧに基づいて、各放送コンテンツを放送時間順に管理している。更に、ＤＶＤに記録された映画等のコンテンツの場合、ＳＴＢ１は、ＤＶＤに記録されているコンテンツの管理表を用いて、各シーンの順番を管理している。
【００６５】
その他、ＳＴＢ１は、コンテンツの種類（映像、音楽、ゲーム等）、カテゴリー（アクション映画、恋愛映画等）、記録媒体（ＤＶＤ、ＨＤＤ、メモリーカード等）、放送チャンネルといった様々な分類毎にコンテンツを順位付けて管理している。
＜２  リモコン＞
次にリモコン３について説明する。
【００６６】
リモコン３には各種操作部材が備わっており、これらの操作部材をユーザが操作すると、リモコン３はその操作に応じたリモコンコードを赤外線無線通信方式によりＳＴＢ１に送信し、ＳＴＢ１は、リモコン３から送信されたリモコンコードを受信することで、ユーザの指示を受け付ける。
【００６７】
図２は、リモコン３の外観を示す図である。
【００６８】
リモコン３は、操作部材３１、３２、３３を備える。
【００６９】
操作部材３２は、押下操作を受け付けるキーであり、操作部材３２が押下されることで、主電源のＯＮ／ＯＦＦの指示を示すリモコンコードがＳＴＢ１に送信される。
【００７０】
操作部材３３は、操作部材３２と同じく押下操作を受け付けるキーであり、操作部材３３が押下されることで、コンテンツ選択受付画面の表示指示を示すリモコンコードがＳＴＢ１に送信される。
【００７１】
操作部材３１は、押下及び回動自在なキーであり、従来の十字キーとジョグダイヤルキーが組み合わさったものである。
【００７２】
以下、操作部材３１の構造について詳しく説明する。
【００７３】
＜２．１  操作部材３１の構造＞
図３は、リモコン３における操作部材３１部分の分解斜視図である。
【００７４】
同図において、３４はリモコン３の外装部材である上ケース、３６は同下ケース、そして、３５は多層配線基板であり、多層配線基板３５は下ケース３６により保持されている。
【００７５】
多層配線基板３５上には、８個の回動センサ３１３ａ、３１３ｂ、３１３ｃ、３１３ｄ、３１３ｅ、３１３ｆ、３１３ｇ、３１３ｈが輪状に配設されており、また、その輪の中心には、押下センサ３１４ｉ、これを囲む輪状の導電部３１５が配設されている。
【００７６】
８個の回動センサ３１３ａ、３１３ｂ、３１３ｃ、３１３ｄ、３１３ｅ、３１３ｆ、３１３ｇ、３１３ｈの上面には、押下センサ３１４ａ、３１４ｂ、３１４ｃ、３１４ｄ、３１４ｅ、３１４ｆ、３１４ｇ、３１４ｈが付設されている。
【００７７】
操作部材３１においてユーザと接触する部位となる操作つまみ３１１は、絶縁樹脂で弾性を有する円盤状の部材３１１Ａ、表面が導電部材でコーティングされた円筒状の部材３１１Ｂ、及び導電部材で弾性を有するブラシ３１２から成り、導電部３１５上に配置される。  
【００７８】
上ケース３４の上面には、円形の貫通孔３４Ａが設けられており、操作つまみ３１１が、貫通孔３４Ａを貫けて上ケース３４の上面に露出するように設計されている。
【００７９】
ブラシ３１２は、回動センサ３１３ａ、３１３ｂ、３１３ｃ、３１３ｄ、３１３ｅ、３１３ｆ、３１３ｇ、３１３ｈのうちいずれか一つの側面に接触することで部材３１１Ｂ、導電部３１５を介して導通し、後述する回動操作検知部３０２に信号を送る。なお、各回動センサにはそれぞれ異なる抵抗が備わっており、ブラシ３１２と各回動センサが接触した際に回動操作検知部３０２に出力される信号の電圧値は異なるので、電圧値及びその変化量から、回動方向及び回動量を特定することができる。
【００８０】
図４ａは、操作つまみ３１１の上面を上からみた平面図と、Ａ−Ａ’軸で平面に対して垂直に操作部材３１を切断した場合の断面図である。
【００８１】
操作部材３１の部材３１１Ａ上面の中心には孔が設けられており、当該孔に釘状の部材３１０が収容されている。また、操作部材３１の部材３１１Ａ上面の中心から放射状に８つの方向を示す△印の凸部が設けられており、これらの凸部の位置と対応する部材３１１Ａ下面側の各位置には、それぞれ鍔が設けられている。
【００８２】
同図に示すように、部材３１１Ａにおける凸部と鍔からなる８つの部位をそれぞれ押下部位３１１ａ、３１１ｂ、３１１ｃ、３１１ｄ、３１１ｅ、３１１ｆ、３１１ｇ、３１１ｈと呼ぶことにする。
【００８３】
これらの図からわかるように、押下部位３１１ａ、３１１ｂ、３１１ｃ、３１１ｄ、３１１ｅ、３１１ｆ、３１１ｇ、３１１ｈの鍔によって、上ケース３４の貫通孔３４Ａから操作部材３１が脱け出ることはない。
【００８４】
また、押下部位３１１ａ、３１１ｂ、３１１ｃ、３１１ｄ、３１１ｅ、３１１ｆ、３１１ｇ、３１１ｈのうちいずれかの凸部が押下されると（例えば、押下部位３１１ｃの凸部）、鍔が回動センサ３１３ａ、３１３ｂ、３１３ｃ、３１３ｄ、３１３ｅ、３１３ｆ、３１３ｇ、３１３ｈのいずれかの上面に設けられている押下センサを押下する（例えば、押下センサ３１４ｃ）。
【００８５】
部材３１０が押下された場合、その下端が押下センサ３１４ｉを押下する。
【００８６】
押下センサ３１４ａ、３１４ｂ、３１４ｃ、３１４ｄ、３１４ｅ、３１４ｆ、３１４ｇ、３１４ｈ及び３１４ｉは、押下されることで導通し、押下されたそれぞれの押下センサによって異なる値の電圧の電流が、後述する押下操作検知部３０１に送られる。
【００８７】
次に操作部材３１の回動動作について説明する。
【００８８】
図４ｂは、操作部材３１の上面を上からみた平面図であり、図４ｃは、操作部材３１のブラシ３１２の動きを説明するための図である。
図４ｂに示すように、操作部材３１は、部材３１１Ａの円周方向に回動自在となっている。
【００８９】
同図に示す白抜矢印が示す円周方向に操作部材３１を回動すると、ブラシ３１２もその円周方向に回動する。
【００９０】
ブラシ３１２と、回動センサ３１３ａ、３１３ｂ、３１３ｃ、３１３ｄ、３１３ｅ、３１３ｆ、３１３ｇ、３１３は、磁性を有しており、ブラシ３１２は、磁力によっていずれかの回動センサに引き付けられ接触するようになっている。
【００９１】
ブラシ３１２といずれかの回動センサが接触すると導通し、接触したそれぞれの回動センサによって異なる値の電圧の電流が、後述する回動操作検知部３０２に送られる。
【００９２】
＜２．２  リモコン３の機能構成＞
次にリモコン３の機能構成について説明する。
【００９３】
図５は、リモコン３の機能構成を示すブロック図である。
【００９４】
リモコン３は、機能的には、上述した操作部材３１、３２、３３、押下操作検知部３０１、回動操作検知部３０２、リモコンコード生成部３０３、コード変換テーブル３０４、リモコンコード送信部３０５を備える。
【００９５】
押下操作検知部３０１は、操作部材３１、３２、３３に対する押下操作により導通して流れる電流の電圧を検知する機能を有する。検知された電圧の値はリモコンコード生成部３０３に伝送される。
【００９６】
回動操作検知部３０２は、操作部材３１に対する回動操作によって導通して流れる電流の電圧を検知する機能を有する。検知された電圧の値はリモコンコード生成部３０３に伝送される。
【００９７】
コード変換テーブル３０４は、電圧の値とリモコンコードとを対応付けたテーブルである。
【００９８】
リモコンコード生成部３０３は、押下操作検知部３０１及び回動操作検知部３０２によって検知された電圧値から、コード変換テーブル３０４を参照してリモコンコードを生成する機能を有する。生成されたリモコンコードはリモコンコード送信部３０５に伝送される。
【００９９】
例えば、図３に示した押下センサ３１４ａが押下されると、その結果出力された電圧値と対応付けられているキーコード００１を含むリモコンコードがリモコンコード生成部３０３において生成される。
【０１００】
リモコンコード送信部３０５は、リモコンコード生成部３０３において生成されたリモコンコードを赤外線無線通信方式によりＳＴＢ１のリモコンＩ／Ｆ１９に送信する。
＜３  動作＞
次に本発明の特徴部分であるコンテンツの選択受付処理について説明する。
【０１０１】
図６は、選択受付処理を説明するために用いるフローチャートである。
【０１０２】
まず、コンテンツを選択するためのコンテンツ選択受付画面の表示指示をユーザから受け付けると（ステップＳ１：ＹＥＳ）、ＳＴＢ１は、ＨＤＤ２３等に記録されていて順位付けて管理されているコンテンツの数ｎを、押下センサ３１４ａ、３１４ｂ、３１４ｃ、３１４ｄ、３１４ｅ、３１４ｆ、３１４ｇ、３１４ｈの個数である８で割って得られる値を算出し、その得られた値の間隔ずつ隔てた８個の順位のコンテンツを選択対象として設定する（ステップＳ２）。
【０１０３】
そして、設定された選択対象の８個の順位と８個の押下センサとを対応付けたテーブルを作成し（ステップＳ３）、当該テーブルに基づいて、順位選択を受け付けるためのＧＵＩ画面を表示する（ステップＳ４）。
【０１０４】
続いて、表示されたＧＵＩ画面を見ながらユーザが操作部材３１を操作して順位の選択を行い、ＳＴＢ１がこれを受け付けた場合（ステップＳ５：ＹＥＳ）、受け付けた順位を基準にして、当該順位の選択対象を含み、当該順位と連続している順位の所定数の選択対象を示す選択肢群を表示装置３に一覧表示させる（ステップＳ６）。ステップＳ５において、順位選択を受け付けなければ、ステップＳ４に戻る。
【０１０５】
一覧表示された選択肢群の中に所望の選択肢が含まれている場合（ステップＳ７：ＹＥＳ）、ユーザが操作部材３１を操作して、所望の選択肢を選択すると（ステップＳ９：ＹＥＳ）、選択受付処理を終了する。
【０１０６】
ステップＳ７において、一覧表示された選択肢群の中に所望の選択肢が含まれていなければ（ステップＳ７：ＮＯ）、ユーザは操作部材３１を操作して、選択肢群をスクロール表示させることができる。スクロール表示操作をＳＴＢＩが受け付けた場合（ステップＳ８：ＹＥＳ）、ステップＳ７に戻る。
【０１０７】
ＳＴＢ１が、スクロール表示操作を受け付けなければ（ステップＳ８：ＮＯ）、ステップＳ６に戻る。
【０１０８】
＜３．１  動作具体例（１）＞
次に上述のフローチャートで説明した選択受付処理の具体例について説明する。
【０１０９】
図７は、ＨＤＤ２３に記録管理されているコンテンツの管理テーブルの一例を示した図である。図７に示すテーブル７００は、ＨＤＤ２３に、コンテンツ１〜コンテンツ１００の１００個のコンテンツが記録されていることを示している。
【０１１０】
図８は、上述のステップＳ３において作成された、図７に示したテーブル７００より設定された選択対象である８個のコンテンツの順位と８個の押下センサとを対応付けたテーブルの一例を示した図である。
【０１１１】
同図において、キー名の欄は実質的には不要であるが、理解を促すために示している。
【０１１２】
各キーコードは、各押下センサが押下されることでリモコン３から送信されるリモコンコードに含まれるキーコードであり、図３に示す押下センサ３１４ａ（キー名：上）が押下されるとキーコード００１が、押下センサ３１４ｂ（キー名：右上）が押下されるとキーコード００２が、押下センサ３１４ｃ（キー名：右）が押下されるとキーコード００３が、押下センサ３１４ｄ（キー名：右下）が押下されるとキーコード００４が、押下センサ３１４ｅ（キー名：下）が押下されるとキーコード００５が、押下センサ３１４ｆ（キー名：左下）が押下されるとキーコード００６が、押下センサ３１４ｇ（キー名：左）が押下されるとキーコード００７が、押下センサ３１４ｈ（キー名：左上）が押下されるとキーコード００８が、リモコンコードに含まれる形でリモコン３から送信される。
【０１１３】
テーブル８００は、これらの各キーコードと設定された選択対象の各コンテンツ順位とを一対一で対応付けている。
【０１１４】
設定された選択対象の各コンテンツの順位は、ＨＤＤ２３に記録されているコンテンツの数ｎ＝１００を、押下センサの数８で割って得られた値、すなわち、１２の間隔ずつ隔てた８個の順位であり、１、１３、２５、３７、４９、６１、７３、８５である。
【０１１５】
テーブル８００では、キーコード００１とコンテンツ順位１、キーコード００２とコンテンツ順位１３、キーコード００３とコンテンツ順位２５、キーコード００４とコンテンツ順位３７、キーコード００５とコンテンツ順位４９、キーコード００６とコンテンツ順位６１、キーコード００７とコンテンツ順位７３、キーコード００８とコンテンツ順位８５が対応付けられている。
【０１１６】
図９は、動作具体例（１）の選択受付処理を説明するための図である。
【０１１７】
ＧＵＩ画面９００は、表示装置２に表示された選択受付処理用のＧＵＩ画面であり、選択対象表示部９０１と選択肢表示部９０３から成る。
【０１１８】
選択対象表示部９０１には、設定された選択対象の各コンテンツ順位が、操作部材３１の８個の各押下センサ３１４の配列位置と対応する位置に配置して表示されている。
【０１１９】
例えば、コンテンツ順位１は、キーコード００１が送信される押下センサ３１４ａの配置位置と対応する位置に配置表示される。
【０１２０】
ここで、ユーザが右上の方向指示を示す操作つまみ３１１上の押下部位を押下した場合、当該押下部位が押し下がって、押下センサ３１４ｂが押下され、リモコン３からキーコード００２を含むリモコンコードが送信される。
【０１２１】
これを受信したＳＴＢ１は、テーブル８００においてキーコード００２と対応付けられているコンテンツ順位１３が選択されたものとして認識する。
【０１２２】
ＳＴＢ１は、コンテンツ順位の選択を受け付けると、選択されたコンテンツ順位を表す画面上の部位を明示するべく、図９に示す部位９０２のように、反転表示し、選択肢表示部９０３に、選択されたコンテンツ順位を基準とする、順位が連続した８個の選択肢を一覧表示する。また、選択対象表示部９０１に、現在表示されている選択肢群の概略位置を太線表示する。
【０１２３】
選択肢表示部９０３に一覧表示された選択肢群は、選択されたコンテンツ順位１３に順位付けて管理されているコンテンツ１３を示す選択肢９０４ｅを中心に、これと順位上連続している各コンテンツを示す選択肢９０４ａ、９０４ｂ、９０４ｃ、９０４ｄ、９０４ｆ、９０４ｇ及び９０４ｈを順番に並べたものである。そして、一覧表示された選択肢群の中で下から４番目に位置する選択肢９０４ｅが仮選択状態となっており、仮選択状態を明示するべく同図に示すように反転表示されている。
【０１２４】
ここで、ユーザが操作つまみ３１１を回動させた場合、ＳＴＢ１はその回動方向及び回動量に応じて表示対象の選択肢群を現在表示されているものから順位上前又は後にずらして再表示する、いわゆるスクロール表示処理を行う。そして、再表示された選択肢群のうち下から４番目の選択肢を反転表示して、仮選択状態であることを明示する。
【０１２５】
この状態で、ユーザが部材３１０（キー名：決定キー）を押下すると、ＳＴＢ１は、仮選択状態の選択肢が選択されたものとして認識し、選択受付処理を終了する。
【０１２６】
図１０は、回動操作と画面に表示される選択肢群の移動量とを対応付けたテーブルの一例を示す図である。同図において、回動操作の欄は実質的には不要であるが、理解を促すために示している。
【０１２７】
例えば、「右回り１」とは、ブラシ３１２が接触する回動センサが、右回り方向に１つずれたことを示す。また、「右回り２」とは、ブラシ３１２が接触する回動センサが、所定時間内に右回り方向に２つずれたことを示す。
【０１２８】
リモコン３は、回動方向及び回動量に応じて、送出するキーコードをコード変換テーブル３０４に基づいて特定し、特定されたキーコードを含むリモコンコードをＳＴＢ１に送信する。ＳＴＢ１は、これを受信し、テーブル１０００を参照して、画面に表示する選択肢群の移動量を決定し、選択肢群の再表示を行う。そして、再表示した選択肢群のうち下から４番目の選択肢を仮選択状態の選択肢として反転表示する。
【０１２９】
以上説明した動作具体例（１）の選択受付処理によれば、ユーザは、操作つまみ３１１上の８つの押下部位と対応して選択対象表示部９０１に一覧表示された各コンテンツ順位の中から、いずれかの順位を選択するべく１回の押下操作を行うことで、所望のコンテンツを示す選択肢に接近することができ、従来の選択受付処理に比べて、格段に操作数を減らすことができる。
【０１３０】
＜３．２  動作具体例（２）＞
上述の動作具体例（１）において説明した選択受付処理では、操作つまみ３１１上の、８つの押下部位のいずれかに対する１回の押下操作によって、コンテンツ順位の選択を受け付け、操作つまみ３１１に対する回動操作によって、選択されたコンテンツ順位を基準とする選択肢群のスクロール表示処理を行っていたが、操作つまみ３１１に対する１回の回動操作によって、コンテンツ順位の選択を受け付け、操作つまみ３１１上の上方向及び下方向を示す２つの押下部位のいずれかに対する押下操作によって、選択されたコンテンツ順位を基準とする選択肢群のスクロール表示処理を行うものであってもよい。
【０１３１】
図１１は、動作具体例（２）の選択受付処理を説明するための図である。
【０１３２】
同図に示すように、ＧＵＩ画面９００は、動作具体例（１）で説明した図９のＧＵＩ画面９００と同じである。しかし、コンテンツ順位の選択は、操作つまみ３１１に対する１回の回動操作によって選択され、選択肢群のスクロール表示処理は、操作つまみ３１１上の上方向及び下方向を示す２つの押下部位のいずれかに対する押下操作に応じて行われるという点において、動作具体例（２）は、動作具体例（１）と異なる。
【０１３３】
図１２は、上述の図６のステップＳ３において作成された、図７に示したテーブル７００から設定された選択対象の８個のコンテンツの順位と回動操作とを対応付けたテーブルの一例を示した図である。
【０１３４】
同図において、回動操作の欄は実質的には不要であるが、理解を促すために示している。
【０１３５】
例えば、右回り１の回動操作を示すキーコード００９がリモコン３から送信され、これをＳＴＢ１が受信した場合、テーブル１２００においてキーコード００９と対応付けられているコンテンツ順位１３が選択されたものとして認識する。
【０１３６】
図１３は、押下操作と画面に表示される選択肢群の移動量とを対応付けたテーブルの一例を示す図である。同図において、キー名の欄は実質的には不要であるが、理解を促すために示している。
【０１３７】
ユーザが上方向指示を示す操作つまみ３１１上の押下部位を押下した場合、当該押下部位が押し下がって、押下センサ３１４ａが押下され、リモコン３からキーコード００１を含むリモコンコードが送信される。
【０１３８】
これを受信したＳＴＢ１は、テーブル１３００においてキーコード００１と対応付けられている選択肢群移動量の上１分、選択肢群をずらして再表示し、再表示された選択肢群のうち下から４番目の選択肢を仮選択状態の選択肢として反転表示する。
【０１３９】
以上説明した動作具体例（２）の選択受付処理によれば、ユーザは、選択対象表示部９０１に一覧表示された各コンテンツ順位の中から、いずれかの順位を選択するべく１回の回動操作を行うことで、所望のコンテンツを示す選択肢に接近することができ、従来の選択受付処理に比べて、格段に操作数を減らすことができる。
＜４  変形例１＞
上述のリモコン３は、押下及び回動自在な操作部材３１を備えていたが、本発明は、リモコン３の代わりに特開２００２−１１７７５１号公報に開示されている操作部材を備えたリモコン３Ａを用いることも可能である。
【０１４０】
図１４は、リモコン３Ａの外観を示す図である。
【０１４１】
リモコン３Ａは、操作部材３１Ａ、３２、３３を備える。
【０１４２】
操作部材３２、３３は、図２に示した操作部材３２、３３と同じである。
【０１４３】
操作部材３１Ａは、上記公報に開示されている操作部材であり、図１５ａ、１５ｂを用いて簡単にその構造について説明する。詳細については同公報を参照されたい。
【０１４４】
＜４．１  操作部材３１Ａの構造＞
図１５ａは、図１４に示すＢ−Ｂ’軸で平面に対して垂直に操作部材３１Ａを切断した場合の断面図と、抵抗素子層１５０４を上からみた平面図、及び円盤部材１５０１の裏面を示す図である。
【０１４５】
操作部材３１Ａは、円盤部材１５０１、抵抗素子層１５０４、導電体層１５０５から構成される。
【０１４６】
円盤部材１５０１の裏側の中央には軸部１５０２が設けられ、軸部１５０２を中心とする放射状に、突出部１５０３ａ、１５０３ｂ、１５０３ｃ、１５０３ｄ、１５０３ｅ、１５０３ｆ、１５０３ｇ、１５０３ｈが設けられている。
【０１４７】
また、円盤部材１５０１は、軸部１５０２を軸足としてリモコンの下ケースに立設されている。
【０１４８】
図１５ｂは、操作部材３１Ａに対してユーザが接触を行った場合の操作部材３１Ａの断面を示す図である。
【０１４９】
同図に示すように、突出部１５０３ａが裏側に存在する円盤部材１５０１の表面部位にユーザが指等を接触すると、押圧がかかって、円盤部材１５０１は軸部１５０２を軸にして傾き、突出部１５０３ａが抵抗素子層１５０４を押下する。
【０１５０】
抵抗素子層１５０４が押下されると、抵抗素子層１５０４−導電体層１５０５間で出力電圧が生じる。この出力電圧は、押下した位置の抵抗値により分圧されたものであるので、ユーザの接触位置を特定することができる。ここで、接触位置とは角度で表される情報であり、この角度情報は、図１５ａに示す正のＹ軸を基準とする角度θで表現される。
【０１５１】
また、円盤部材１５０１の円周上をユーザが指等でなぞることで、いくつかの突出部が連続的に抵抗素子層１５０４を押下し、その押下位置が連続的に変化するので、抵抗素子層１５０４−導電体層１５０５間で生じる出力電圧も変化する。
【０１５２】
この出力電圧の変化を検知することで、ユーザの操作部材３１Ａに対するなぞり操作のなぞり角度を特定することができる。
【０１５３】
＜４．２  リモコン３Ａの機能構成＞
次にリモコン３Ａの機能構成について説明する。
【０１５４】
図１６は、リモコン３Ａの機能構成を示すブロック図である。
【０１５５】
リモコン３Ａは、機能的には、上述した操作部材３１Ａ、３２、３３、押下操作検知部３０１、接触操作検知部３０２Ａ、リモコンコード生成部３０３、コード変換テーブル３０４Ａ、リモコンコード送信部３０５を備える。
【０１５６】
操作部材３１Ａ、接触操作検知部３０２Ａ及びコード変換テーブル３０４Ａ以外は、上述のリモコン３の機能部と同じである。
【０１５７】
接触操作検知部３０２Ａは、操作部材３１Ａに対する接触操作及びなぞり操作により導通し出力される電圧値を検知する機能を有する。検知された電圧値はリモコンコード生成部３０３に伝送される。
【０１５８】
コード変換テーブル３０４Ａは、電圧値とリモコンコードとを対応付けたテーブルである。
【０１５９】
＜４．３  動作具体例（３）＞
次にリモコン３Ａを用いた場合の、図６のフローチャートで説明した選択受付処理の具体例について説明する。
【０１６０】
図１７は、動作具体例（３）の選択受付処理を説明するための図である。
【０１６１】
ＧＵＩ画面９００は、ＳＴＢ１が選択対象の選択を受け付けるために表示装置２に表示させたＧＵＩ画面であり、動作具体例（１）、（２）で説明したＧＵＩ画面９００と同じである。
【０１６２】
コンテンツ順位の選択は、操作部材３１Ａに対する１回の接触操作によって選択され、所望の選択肢の選択は、操作部材３１Ａの円周上をなぞる操作によって選択される。
【０１６３】
図１８は、上述の図６のステップＳ３において作成された、図７に示したテーブル７００から設定された選択対象の、８個のコンテンツの順位と接触操作とを対応付けたテーブルの一例を示した図である。
【０１６４】
同図において、接触位置の欄は実質的には不要であるが、理解を促すために示している。
【０１６５】
例えば、接触位置０°を示すキーコード００１Ａがリモコン３Ａから送信され、これをＳＴＢ１が受信した場合、ＳＴＢ１は、テーブル１８００においてキーコード００１Ａと対応付けられているコンテンツ順位１が選択されたものとして認識する。
【０１６６】
図１９は、なぞり操作と画面に表示される選択肢群の移動量とを対応付けたテーブルの一例を示す図である。同図において、なぞり操作の欄は実質的には不要であるが、理解を促すために示している。
【０１６７】
例えば、ユーザが操作部材３１Ａ上を＋４５°分なぞった場合、リモコン３Ａからキーコード００９Ａを含むリモコンコードが送信される。
【０１６８】
これを受信したＳＴＢ１は、テーブル１９００においてキーコード００９Ａと対応付けられている選択肢群移動量の下１分、選択肢群をずらして再表示し、再表示された選択肢群のうち下から４番目の選択肢を仮選択状態の選択肢として反転表示する。
【０１６９】
以上説明した動作具体例（３）の選択受付処理によれば、ユーザは、選択対象表示部９０１に一覧表示された各コンテンツ順位の中から、いずれかの順位を選択するべく１回の接触操作を行うことで、所望のコンテンツを示す選択肢に接近することができ、従来の選択受付処理に比べて、格段に操作数を減らすことができる。
【０１７０】
＜４．４  動作具体例（４）＞
上述の動作具体例（３）において説明した選択受付処理では、操作部材３１Ａに対する１回の接触操作によって、コンテンツ順位の選択を受け付け、操作部材３１Ａに対するなぞり操作によって、選択されたコンテンツ順位を基準とする選択肢群のスクロール表示処理を行っていたが、反対に、操作部材３１Ａに対する１回のなぞり操作によって、コンテンツ順位の選択を受け付け、操作部材３１Ａ上の上側（０°）又は下側（１８０°）のいずれかに接触する操作を行うことによって、選択されたコンテンツ順位を基準とする選択肢群のスクロール表示処理を行うものであってもよい。
【０１７１】
図２０は、動作具体例（４）の選択受付処理を説明するための図である。
【０１７２】
同図に示すように、ＧＵＩ画面９００は、動作具体例（１）、（２）、（３）で説明したＧＵＩ画面９００と同じである。
【０１７３】
コンテンツ順位の選択は、操作部材３１Ａに対する１回のなぞり操作によって選択され、所望の選択肢の選択は、操作部材３１Ａ上の上側（０°）又は下側（１８０°）のいずれかに接触する操作を行うことによって選択される。
【０１７４】
図２１は、上述の図６のステップＳ３において作成された、図７に示したテーブル７００から設定された選択対象である８個のコンテンツの順位と、なぞり操作とを対応付けたテーブルの一例を示した図である。
【０１７５】
同図において、なぞり操作の欄は実質的には不要であるが、理解を促すために示している。
【０１７６】
例えば、＋９０°のなぞり操作を示すキーコード０１０Ａがリモコン３Ａから送信され、これをＳＴＢ１が受信した場合、ＳＴＢ１はテーブル２１００においてキーコード０１０Ａと対応付けられているコンテンツ順位２５が選択されたものとして認識する。
【０１７７】
図２２は、接触操作と画面に表示される選択肢群の移動量とを対応付けたテーブルの一例を示す図である。同図において、接触位置の欄は実質的には不要であるが、理解を促すために示している。
【０１７８】
ユーザが操作部材３１Ａの上側を接触した場合、リモコン３Ａからキーコード００１Ａを含むリモコンコードが送信される。
【０１７９】
これを受信したＳＴＢ１は、テーブル２２００においてキーコード００１Ａと対応付けられている選択肢群移動量の上１だけ、選択肢群をずらして再表示し、再表示された選択肢群のうち下から４番目の選択肢を仮選択状態の選択肢として反転表示する。
【０１８０】
以上説明した動作具体例（４）の選択受付処理によれば、ユーザは、選択対象表示部９０１に一覧表示された各コンテンツ順位の中から、いずれかの順位を選択するべく１回のなぞり操作を行うことで、所望のコンテンツを示す選択肢に接近することができ、従来の選択受付処理に比べて、格段に操作数を減らすことができる。
＜５  ＧＵＩ画面の変形例＞
上述の選択受付処理においてＳＴＢ１が表示装置２に表示させるＧＵＩ画面は、図９、１１、１７、２０に示したＧＵＩ画面９００に限定されない。例えば、以下に説明するＧＵＩ画面であってもよい。
【０１８１】
＜５．１  ＧＵＩ画面（１）＞
図２３は、選択対象が定時番組であって、ＳＴＢ１が表示装置２に表示させる定時番組の録画予約を受け付けるためのＧＵＩ画面の一例を示す図である。
【０１８２】
ＧＵＩ画面９００Ａは、選択対象表示部９０１Ａと選択肢表示部９０３Ａから成る。
【０１８３】
選択対象表示部９０１Ａには、上述の選択受付処理のステップＳ２において設定された選択対象の各コンテンツ順位にそれぞれ順位付けられて管理されている定時番組の放送開始時刻及び番組名が選択肢として、円状に配置して表示されている。
【０１８４】
表示された上記各選択肢２３０１ａ、２３０１ｂ、２３０１ｃ、２３０１ｄ、２３０１ｅ、２３０１ｆ、２３０１ｇ及び２３０１ｈにより取り囲まれた内側には、２４時間表示の時計部２３００ａ、録画予約対象の定時番組の放送日及びチャンネルを示すウィンドウ２３００ｂが表示されている。
【０１８５】
時計部２３００ａは、選択された選択肢が示す定時番組の、概略の放送開始時刻を指し示すものである。
【０１８６】
選択対象表示部９０１Ａに表示されている選択肢群の中からいずれか１つが選択されると、ＳＴＢ１は、その選択肢の枠を強調表示し（同図においては、選択肢２３０１ａ）、時計部２３００ａが、選択された選択肢が示す定時番組の、概略の放送開始時刻を針で指し示すように表示させる。
【０１８７】
また、選択肢表示部９０３Ａに、選択された選択肢が示す定時番組を基準にして、当該定時番組を示す選択肢２３０２ｂ、当該定時番組と順位上連続して管理されている定時番組を示す選択肢２３０２ａ、２３０２ｃを一覧表示する。
【０１８８】
＜５．２  ＧＵＩ画面（２）＞
図２４は、選択対象がＨＤＤ２３に記録されているコンテンツであって、ユーザから再生させるコンテンツの選択を受け付けるためのＧＵＩ画面の一例である。
【０１８９】
ＧＵＩ画面９００Ｂは、選択対象表示部９０１Ｂと選択肢表示部９０３Ｂから成る。
【０１９０】
選択対象表示部９０１Ｂには、上述の選択受付処理のステップＳ２において設定された選択対象の各コンテンツ順位にそれぞれ順位付けられて管理されているコンテンツの記録日時及びコンテンツ名が選択肢として、円状に配置して表示されている。
【０１９１】
表示された上記各選択肢２４０１ａ、２４０１ｂ、２４０１ｃ、２４０１ｄ、２４０１ｅ、２４０１ｆ、２４０１ｇ及び２４０１ｈにより取り囲まれた内側部分には、記録場所を示すフォルダアイコン２４００が表示されている。
【０１９２】
選択対象表示部９０１Ｂに表示されている選択肢群の中からいずれか１つが選択されると、ＳＴＢ１は、その選択肢の枠を強調表示する（同図においては、選択肢２４０１ａ）。
【０１９３】
また、選択肢表示部９０３Ｂに、選択された選択肢が示すコンテンツを基準にして、当該コンテンツを示す選択肢２４０１ｊ、当該コンテンツと順位上連続して管理されているコンテンツを示す選択肢２４０１ｉ、２４０２ｋを一覧表示する。そして、仮選択状態になっている選択肢２４０１ｊについては、コンテンツの記録日時及びコンテンツ名といった文字情報ではなく、サムネイルを生成して表示する。
【０１９４】
＜５．３  ＧＵＩ画面（３）＞
図２５は、選択対象がＤＶＤ７に記録されているコンテンツの各シーンであって、ユーザから再生させるシーンの選択を受け付けるためのＧＵＩ画面の一例である。
【０１９５】
ＧＵＩ画面９００Ｃは、選択対象表示部９０１Ｃと選択肢表示部９０３Ｃから成る。
【０１９６】
選択対象表示部９０１Ｃには、上述の選択受付処理のステップＳ２において設定された選択対象の順位にそれぞれ順位付けられて管理されているシーンのサムネイルが選択肢として、円状に配置して表示されている。その円状の内側には、選択対象が記録されている媒体を示す情報２５００が表示されている。
【０１９７】
表示された上記各選択肢２５０１ａ、２５０１ｂ、２５０１ｃ、２５０１ｄ、２５０１ｅ、２５０１ｆ、２５０１ｇ及び２５０１ｈの中からいずれか１つが選択されると、ＳＴＢ１は、その選択肢の枠を強調表示する（同図においては、選択肢２５０１ａ）。
【０１９８】
また、選択肢表示部９０３Ｃに、選択された選択肢の順位を基準にして、当該順位のシーンを示す選択肢２５０１ｊ、当該順位と連続している順位のシーンを示す選択肢２５０１ｉ、２５０２ｋをサムネイルで一覧表示する。
【０１９９】
＜５．４  ＧＵＩ画面（４）＞
図２６は、選択対象がＨＤＤ２３に記録されているコンテンツであって、ユーザから再生させるコンテンツの選択を受け付けるためのＧＵＩ画面の一例である。
【０２００】
ＧＵＩ画面９００Ｄには、順位バロメータ２６０１と、選択位置指示アイコン２６０２、ジャンル名２６０３、記録タイトル数２６０４、選択位置内容表示欄２６０５が表示されている。
【０２０１】
順位バロメータ２６０１は、選択対象の順位をバロメータ表示したものである。
【０２０２】
選択位置指示アイコン２６０２は、順位バロメータ２６０１上の順位位置を指し示す矢印アイコンであり、操作部材３１を右回転又は左回転になぞる操作を行うことで、選択位置指示アイコン２６０２が指し示す位置を、右又は左に順位を１０単位でスキップ移動させることができ、操作部材３１の左右ボタンを押下することで、右又は左に順位を１つずつ移動させることができる。
【０２０３】
選択対象コンテンツは、ジャンル名２６０３に示すように「スポーツ」というジャンルに属するコンテンツである。
【０２０４】
ジャンル「スポーツ」に属する選択対象コンテンツの数は、記録タイトル数２６０４に示すように８２タイトルであるが、順位バロメータ２６０１は、０から１０単位ずつ目盛られていて１２０まで表示されている。
【０２０５】
選択位置表示欄２６０５には、選択位置指示アイコン２６０２が指し示した位置付近の順位のタイトルのサムネイル画像が表示されている。
【０２０６】
よって、ユーザは、まず、順位バロメータ２６０１上の大まかな位置を選定して、選択位置表示欄２６０５を見ながら、所望のタイトルを選ぶことができる。
＜６  補足＞
本発明は、上述の実施の形態に限定されないことは勿論である。すなわち、
（１）上述の選択受付処理において、設定された選択対象のコンテンツ順位、或いは記録日時、コンテンツ名、サムネイル等をＧＵＩ画面に一覧表示していたが、これらの情報は必ずしもＧＵＩ画面に全て一覧表示しなければならないものではなく、選択対象の一覧表示を省略してもよいし、或いは選択対象の一部を省略した形で一覧表示してもよい。また、選択対象の数に関わらず、予め規定された順位の選択対象を選択対象として設定してもよい。例えば、選択対象のコンテンツが８０個あった場合、その中から、順位が１、２５、５１、７５のコンテンツを選択対象として設定しもよい。
【０２０７】
（２）上述のＧＵＩ画面の具体例では、選択候補表示部と選択肢表示部を１画面上に同時に表示していたが、選択候補表示部と選択肢表示部を同時に表示しないものも発明に含まれる。例えば、選択候補表示部だけを先に表示し、表示された選択候補群の中から選択候補が選ばれると、選択候補表示部の表示を止めて、代わりに選択肢表示部を表示するＧＵＩが考えられる。また、係るＧＵＩにおいて、選択肢表示部に表示された選択肢群を、予め規定した分だけスクロール移動させた場合、選択肢表示部の表示を止めて、再び選択候補表示部を表示させるようにしてもよい。
【０２０８】
（３）選択対象の一例を具体的に列挙する。コンテンツ内の各シーン（オープニング、シーン１、エンディング等）、ＡＶ機器の各種機能（番組表、Ｇコード入力、録画予約等）、放送形態（地上波アナログ、地上波デジタル、ＢＳ、ＣＳ等）、記憶メディアの種類（ＨＤＤ、ＤＶＤ、ＳＤ等）、コンテンツのジャンル（スポーツ、ニュース、サイエンス、経済等）、ユーザからの指示（再生、録画、消去等）、ビデオカメラ等で撮影した場所（北海道、東京、大阪等）、コンテンツ種別（映像、写真、音楽、ゲーム等）がある。
【０２０９】
（４）上述のＳＴＢ１は、ユーザから選択対象を選び出すための規則の設定を受け付けて、その規則に基づいて選択対象を設定するようにしてもよい。具体的には、管理されているコンテンツの順位が１０、２０、３０、というように、下１ケタが０の順位のものを選択対象として所定数選び出す規則、コンテンツの再生時間が１時間未満のもの、１時間以上のものというように、コンテンツの再生時間別に選択対象を１つずつ選び出す規則、コンテンツ名のイニシャル別に選択対象を１つずつ選び出す規則、放送チャンネル別に選択対象を１つずつ選び出す規則等が考えられる。
【０２１０】
（５）上述の選択受付処理では、８個の選択対象の設定をコンテンツ選択受付画面の表示指示を受けた後に行っていたが、ＨＤＤ２３等の記録媒体に記録されているコンテンツに増減があった時点或いは順位の変更が生じた時点で選択対象の設定を行ってテーブルを作成してもよい。
【０２１１】
（６）上述の選択受付処理において、選択対象としてコンテンツ順位を８個特定していたが、これに限定されず、例えば、操作部材３１に押下センサが１２個備わっていれば、コンテンツ順位を１２個特定するものであってもよいし、押下センサが８個であるのに対して、上下左右の４つの押下センサと対応付けるべく、コンテンツ順位を４個特定するものであってもよい。
【０２１２】
（７）上述のリモコン３に備わる操作部材３１の操作つまみ３１１は、円盤形状であったが、これに限られず、例えば、楕円、三角、四角、星型等の形状であってもよい。リモコン３Ａに備わる操作部材３１Ａの形状についても同様である。
【０２１３】
また、操作部材３１の回動センサ及び押下センサは８個に限られず、例えば、４個、７個、１２個であってもよく、操作部材３１Ａの突出部についても同様で、突出部を１２個、１６個備えていてもよい。
【０２１４】
（８）本発明は、上述のＳＴＢとして実施することができる他、テレビ、ゲーム機として実施することも可能であり、また、操作部と表示部が一体となった携帯端末として実施することも可能である。
【０２１５】
（９）上述の実施形態において、選択対象の選択に押下操作を用いれば、選択肢群のスクロール表示制御には回動操作を用いるというように操作の使い分けを行っていたが、これに限定されず、例えば、選択対象の選択、選択肢群のスクロール表示制御のいずれにも押下操作を用いてもよい。その反対も同じで、選択対象の選択、選択肢群のスクロール表示制御のいずれにも回動操作若しくはなぞり操作を用いてもよい。また、選択肢群の表示方法はスクロール表示に限られず、所定数ずつページ単位で表示してもよい。
【０２１６】
（１０）上述のＳＴＢ１は、選択対象であるコンテンツを視聴回数の多いもの順、あいうえお順、アルファベット順等さまざまな順位付けで管理していてもよい。また、選択対象は番組チャンネル、或いは順位付けられているメニュー項目であってもよい。
【０２１７】
（１１）本発明は、上述した選択受付処理の各手順（例えば、図６に示した手順等）を含む選択受付方法であるとしてもよいし、当該選択受付処理をＣＰＵを備えた機器に実行させるためのプログラムであるとしてもよい。
【０２１８】
（１２）本発明は、前記プログラムをコンピュータ読み取り可能な記録媒体、例えば、フレキシブルディスク、ハードディスク、ＣＤ、ＭＯ、ＤＶＤ、ＢＤ（Ｂｌｕ−ｒａｙ  Ｄｉｓｃ）、半導体メモリ等に記録したものとしてもよい。
【産業上の利用可能性】
【０２１９】
本発明は、選択対象の選択受付を行うユーザインターフェースを備えた電子機器（例えば、ＡＶ機器や携帯端末等）に適用することができる。
【図面の簡単な説明】
【０２２０】
【図１】本発明の１実施形態であるＳＴＢ１の構成を示す図である。
【図２】リモコン３の外観を示す図である。
【図３】リモコン３における操作部材３１部分の分解斜視図である。
【図４】（ａ）操作つまみ３１１の上面を上からみた平面図と、Ａ−Ａ’軸で平面に対して垂直に操作部材３１を切断した場合の断面図である。  （ｂ）操作部材３１の上面を上からみた平面図である。  （ｃ）操作部材３１のブラシ３１２の動きを説明するための図である。
【図５】リモコン３の機能構成を示すブロック図である。
【図６】選択受付処理を説明するために用いるフローチャートである。
【図７】順位付けて管理されているコンテンツの管理テーブルの一例を示した図である。
【図８】図７に示したテーブル７００から設定された選択対象の８個のコンテンツの順位と８個の押下センサとを対応付けたテーブルの一例を示した図である。
【図９】動作具体例（１）の選択受付処理を説明するための図である。
【図１０】回動操作と画面に表示される選択肢群の移動量とを対応付けたテーブルの一例を示す図である。
【図１１】動作具体例（２）の選択受付処理を説明するための図である。
【図１２】図７に示したテーブル７００から設定された選択対象の８個のコンテンツの順位と回動操作とを対応付けたテーブルの一例を示した図である。
【図１３】押下操作と画面に表示される選択肢群の移動量とを対応付けたテーブルの一例を示す図である。
【図１４】リモコン３Ａの外観を示す図である。
【図１５】（ａ）図１４に示すＢ−Ｂ’軸で平面に対して垂直に操作部材３１Ａを切断した場合の断面図と、抵抗素子層１５０４を上からみた平面図と、円盤部材１５０１の裏面を示した図である。  （ｂ）操作部材３１Ａに対してユーザが接触を行った場合の操作部材３１Ａの断面を示す図である。
【図１６】リモコン３Ａの機能構成を示すブロック図である。
【図１７】動作具体例（３）の選択受付処理を説明するための図である。
【図１８】図７に示したテーブル７００から設定された選択対象の８個のコンテンツの順位と接触操作とを対応付けたテーブルの一例を示した図である。
【図１９】なぞり操作と画面に表示される選択肢群の移動量とを対応付けたテーブルの一例を示す図である。
【図２０】動作具体例（４）の選択受付処理を説明するための図である。
【図２１】図７に示したテーブル７００から設定された選択対象の８個のコンテンツの順位となぞり操作とを対応付けたテーブルの一例を示した図である。
【図２２】接触操作と画面に表示される選択肢群の移動量とを対応付けたテーブルの一例を示す図である。
【図２３】定時番組の録画予約を受け付けるために用いるＧＵＩ画面の一例である。
【図２４】再生するコンテンツの選択を受け付けるためのＧＵＩ画面の一例である。
【図２５】再生するコンテンツの選択を受け付けるためのＧＵＩ画面の一例である。
【図２６】再生するコンテンツの選択を受け付けるためのＧＵＩ画面の一例である。
【図１】
2007536604.tif 000003
【図２】
2007536604.tif 000004
【図３】
2007536604.tif 000005
【図４】
2007536604.tif 000006
【図５】
2007536604.tif 000007
【図６】
2007536604.tif 000008
【図７】
2007536604.tif 000009
【図８】
2007536604.tif 000010
【図９】
2007536604.tif 000011
【図１０】
2007536604.tif 000012
【図１１】
2007536604.tif 000013
【図１２】
2007536604.tif 000014
【図１３】
2007536604.tif 000015
【図１４】
2007536604.tif 000016
【図１５】
2007536604.tif 000017
【図１６】
2007536604.tif 000018
【図１７】
2007536604.tif 000019
【図１８】
2007536604.tif 000020
【図１９】
2007536604.tif 000021
【図２０】
2007536604.tif 000022
【図２１】
2007536604.tif 000023
【図２２】
2007536604.tif 000024
【図２３】
2007536604.tif 000025
【図２４】
2007536604.tif 000026
【図２５】
2007536604.tif 000027
【図２６】
2007536604.tif 000028
【国際調査報告】
2007536604.tif 000029
2007536604.tif 000030
2007536604.tif 000031